(57)【要約】【課題】ＩＰアドレスの事前設定工数の低減、設置現場での特定のカメラを選び出すための工数の低減、カメラ誤設置の防止、およびカメラ設置後の現場での設定工数の低減が可能な監視カメラシステムを提供する。【解決手段】設置されたカメラが、自身の位置情報を自動取得する手段と、ネットワークに接続されたカメラに、アドレスを自動付与する手段と、各カメラから位置情報を取得し、アドレスと合わせてデータベースを自動生成する手段と、設置場所毎に定められたカメラごとのパラメータ設定を自動的に実行する手段とを備えた本発明のネットワーク型監視カメラシステム。【選択図】図１
2012109787.tif 000002
【特許請求の範囲】
【請求項１】
ＧＰＳ機能を内蔵し、自己の位置情報を保持するカメラと、前記カメラにネットワークを介して結合しＩＰアドレスを付与するＤＨＣＰサーバと、前記カメラおよび前記ＤＨＣＰサーバに前記ネットワークを介して結合し前記カメラの設定情報を管理する管理サーバとを有し、前記ＤＨＣＰサーバが前記カメラに付与したＩＰアドレスを前記管理サーバに通知することにより、前記管理サーバは、通知されたＩＰアドレスを基に、前記カメラから位置情報を取得し、データペースに登録することを特徴とするネットワーク型監視カメラシステム。
【発明の詳細な説明】
【技術分野】
【０００１】
本発明は、ネットワーク型監視カメラシステムに関わり、特に、監視カメラ設置時の運用に関する。
【背景技術】
【０００２】
従来のネットワーク型監視カメラシステムにおいては、カメラを設置する前に、各設置場所毎に定められたＩＰアドレス（Internet Protocol Address）を、各カメラに設定していた。各設置現場では、搬入された多数のカメラから特定カメラを、設置場所ごとに選択設置していた。
またカメラ設置後に、設置現場に合わせて、当該カメラのパラメータ設定をしていた。
【先行技術文献】
【特許文献】
【０００３】
【特許文献１】特開２００７−０４３３９０号公報
【発明の概要】
【発明が解決しようとする課題】
【０００４】
上述のように従来は、監視カメラ毎に定められたＩＰアドレスを事前設定するための作業工数、および設置場所が定められているカメラを、現場で多数のカメラから選択する作業工数がかかっていた。また、カメラを誤って選択、設置した場合の障害も発生していた。さらに、カメラを設置後に、各カメラ毎にパラメータ設定をする煩雑性が問題となっていた。
特許文献１には、ネットワーク上に接続されるカメラを備えるネットワーク型監視カメラにおいて、ＤＨＣＰ（Dynamic Host Configuration Protocol）サーバは、ネットワークに接続されたカメラを検出し、ＩＰアドレスを発行し、制御サーバは、カメラから取得した機器情報に基づいてシステムの構成情報を更新する端末機器を有する技術が開示されている。しかし、カメラが実際に定められた監視場所に設置されたか否かは確認できなかった。
本発明の目的は、上記の問題に鑑み、ＩＰアドレスの事前設定工数の低減、設置現場での特定のカメラを選び出すための工数の低減、カメラ誤設置の防止、およびカメラ設置後の現場での設定工数の低減が可能な監視カメラシステムを提供することにある。
【課題を解決するための手段】
【０００５】
上記の目的を達成するために、本発明のネットワーク型監視カメラシステムは、設置されたカメラが、自身の位置情報を自動取得する手段と、ネットワークに接続されたカメラに、アドレスを自動付与する手段と、各カメラから位置情報を取得し、アドレスと合わせてデータベースを自動生成する手段と、設置場所毎に定められたカメラごとのパラメータ設定を自動的に実行する手段とを備えたものである。
【０００６】
即ち、本発明のネットワーク型監視カメラシステムは、ＧＰＳ（Global Positioning System）機能を内蔵し、自己の位置情報を保持するカメラと、前記カメラにネットワークを介して結合しＩＰアドレスを付与するＤＨＣＰサーバと、前記カメラおよび前記ＤＨＣＰサーバに前記ネットワークを介して結合し前記カメラの設定情報を管理する管理サーバとを有し、前記ＤＨＣＰサーバが前記カメラに付与したＩＰアドレスを前記管理サーバに通知することにより、前記管理サーバは、通知されたＩＰアドレスを基に、前記カメラから位置情報を取得し、データペースに登録するものである。
【０００７】
また、上記発明のネットワーク型監視カメラシステムにおいて、予め前記データベースに前記カメラの設定情報が登録されている場合には、当該設定情報を基に、前記カメラの各パラメータを自動設定するものである。
【発明の効果】
【０００８】
本発明によれば、カメラ毎にＩＰアドレスを事前設定する工数の低減、設置現場における多数のカメラから特定カメラを選び出すための工数の低減、カメラ誤設置の防止、カメラ設置後の現場でのパラメータ設定工数の低減を実現することができる。
【図面の簡単な説明】
【０００９】
【図１】本発明のネットワーク型監視カメラシステムの一実施例の構成を示すブロック図である。
【図２】本発明のネットワーク型監視カメラシステムにおけるカメラデータベースの一実施例を示す図である。
【発明を実施するための形態】
【００１０】
本発明のネットワーク型監視カメラシステムは、カメラ内蔵のＧＰＳにより、現在の設置位置情報をカメラ自身が保持し、自動付与されたＩＰアドレス毎の設置位置情報を収集し、既定のカメラ名称（ＩＤ：Identifier）および設置位置テーブルから、ＩＤ、位置、設定情報、およびＩＰアドレスから成る管理用のカメラデータベースを自動生成するものである。
また、好ましくは、本発明のネットワーク型監視カメラシステムは、自動付与したＩＰアドレスと自動取得した位置情報により、カメラデータベースを自動生成するものである。
さらに、好ましくは、本発明のネットワーク型監視カメラシステムは、管理サーバからの、設置後カメラに対する自動的にパラメータ設定を実行するものである。
【００１１】
図１と図２によって、本発明のネットワーク型監視カメラシステムの一実施例を説明する。図１は、本発明のネットワーク型監視カメラシステムの一実施例の構成を示すブロック図である。また図２は、本発明のネットワーク型監視カメラシステムにおけるカメラデータベースの一実施例を示す図である。１０１はカメラ、１０２はネットワーク、１０３はＤＨＣＰサーバ、１０４は管理サーバ、１０５は監視端末である。なお、カメラデータベースは、管理サーバ１０４の図示しない記憶装置に格納される。
カメラ１０１はネットワークカメラであり、ネットワーク型監視カメラシステムの各設置場所に１台〜複数台設置される。さらに、それぞれのカメラ１０１は、ＧＰＳ機能を備えている。ネットワーク１０２は、例えば、無線ＬＡＮ（Local Area Network）である。
また監視端末１０５は、管理サーバ１０４の管理により、ＤＨＣＰサーバ１０３からＩＰアドレスを割り当てられることによって、ネットワーク１０２を介してカメラ１０１と接続され、接続されたカメラ１０１が取得した映像および当該カメラの情報を、付属する図示しないモニタの画面に表示する。
【００１２】
次に、ネットワーク型監視カメラシステムにおける、カメラ設置時の動作の一実施例図１および図２によって説明する。カメラ１０１、ＤＨＣＰサーバ１０３、および管理サーバ１０４は相互にネットワーク１０２を介して通信する。
まず、設置されたカメラ１０１は、ＧＰＳ機能（図示しない）によって、現在の位置情報を取得し、自カメラ内のメモリ（図示しない）に保持する。
また、ＤＨＣＰサーバ１０３は、各カメラ１０１に、それぞれのカメラＩＤを特定するＩＰアドレスを付与し、管理サーバ１０４に対し、付与したＩＰアドレスを通知する。
管理サーバ１０４は、カメラ１０１に対し、通知されたＩＰアドレスを使用して位置情報を問い合せる。問い合せを受けたカメラ１０１は、保持した位置情報を管理サーバ１０４に伝送する。管理サーバ１０４は、各カメラ１０１から、それぞれの位置情報を取得する。
【００１３】
管理サーバ１０４は、あらかじめ、カメラＩＤ、位置情報、および設定情報を入力済みのカメラデータベース（図２参照）を参照し、照合したフィールドにＩＰアドレスを入力し、カメラデータベースを完成する。
なお、フィールドには、既定情報が含まれるが、既定情報とは、各々のカメラに対するコメント、注釈等の付帯情報が入力、記録および更新されている。
【００１４】
管理サーバ１０４は、カメラデータベースを参照し、当該カメラに対し設定パラメータが定まっている場合には、当該カメラに対して、自動的にパラメータ設定を実行する。即ち、本発明のネットワーク型監視カメラシステムでは、好ましくは、図１および図２において、管理サーバ１０４は、設置後のカメラ１０１に対して、自動的にパラメータ設定を実行するものである。
各カメラ１０１のＩＰアドレスは、ＤＨＣＰサーバ１０３が割り当てるプライベートＩＰアドレスであり、カメラ１０１が設置されると予め定められた設置位置毎に定められたＩＤに基づいて割り当てられる。これによって、管理サーバ１０４は、ＩＰアドレスを設置位置と関連付けし、カメラデータベースに格納する。
【００１５】
また図１および図２において、好ましくは、管理サーバ１０４は、カメラデータベースのパラメータ設定情報を、割り当てられたＩＰアドレス毎に保存（格納）する。このため、カメラ１０１を交換する場合には、交換前のカメラ（元のカメラ）のカメラ名称（ＩＤ）が付与され、付与されたＩＤに基づいてカメラデータベースの位置、設定情報、およびＩＰアドレスから成る管理用のカメラデータベースを参照する。
また、パラメータ設定情報が、カメラデータベースに存在する場合には、管理サーバは、当該ＩＤを有するカメラに対して、自動的に、パラメータ設定を実行する。
なお、カメラを交換する場合には、一度、カメラ１０１とＤＨＣＰ１０３の接続が断となるので、接続断の情報と、再度接続されて同じＩＰアドレスが付与されたことが、管理サーバ１０４に通知される。この結果、管理サーバ１０４は、カメラデータベース内に設定情報が存在するか否かを確認し、設定情報が存在する場合には、自動的に、当該カメラ１０１のパラメータ設定を実行する。
【００１６】
上記実施例によれば、ＧＰＳ機能を内蔵し、自己の位置情報を保持するカメラと、前記カメラにＩＰアドレスを付与するＤＨＣＰサーバと、前記カメラの設定情報を管理する管理サーバとを有し、前記ＤＨＣＰサーバが前記カメラに付与したＩＰアドレスを前記管理サーバに通知することにより、前記管理サーバは、通知されたＩＰアドレスをもとに、前記カメラから位置情報を取得し、データベースに登録する一方、予め前記データベースに前記カメラの設定情報が登録されている場合には、当該設定情報をもとに、前記カメラの各バラメータを自動設定することができる。
【００１７】
上記実施例では、カメラデータベースは、管理サーバ１０４の図示しない記憶装置に格納されていた。しかし、ネットワーク１０２を介して、カメラデータベースを格納するデータベース装置を備えて、データベース装置に格納するようにしても良い。また、カメラデータベースを管理サーバ１０４に直接接続したデータベース装置に格納するようにしても良い。
【符号の説明】
【００１８】
１０１：カメラ、  １０２：ネットワーク、  １０３：ＤＨＣＰサーバ、  １０４：管理サーバ、  １０５：監視端末。
【図１】
2012109787.tif 000003
【図２】
2012109787.tif 000004